(57)【要約】  【課題】  ある程度の多量な端子の圧着作業ができ、また既製品の端子ベルトの準備が必要なく、電源や電池の準備も不用な圧着具を提供すること。  【解決手段】  電線用の端子を電線端部に圧着させる圧着部と、多数の挿入孔を有してこれに前記端子を挿入装填するカートリッジと、このカートリッジを着脱可能に且つ移動可能に保持するカートリッジ保持部と、前記装填された端子の１が前記圧着部を臨む様に前記カートリッジを位置させたときに前記臨む端子をカートリッジから押し出す押出部と、この押し出された端子を圧着される位置で保持する端子保持部と、前記圧着部を開閉操作するための握りハンドル部と、を有することを特徴とする。  【選択図】  図１
2010009768.tif 000002
【特許請求の範囲】
【請求項１】
電線用の端子を電線端部に圧着させる圧着部を有する圧着装置に装着して、前記圧着部に前記端子を供給する端子供給機構であって、
端子用の個々の装填部を多数有してこれに前記端子を装填するカートリッジと、このカートリッジを着脱可能に且つ移動可能に保持するカートリッジ保持部とを有し、
前記カートリッジ保持部は、前記カートリッジを移動させることにより、このカートリッジに装填された端子が順次、前記圧着部を臨む配置となるよう前記圧着装置に装着され、
更に、前記臨む端子をカートリッジから圧着部に向けて供給する供給部を有することを特徴とする端子供給機構。
【請求項２】
装填された端子が圧着部を臨む位置に順次位置すべく、前記カートリッジを移動させる移動操作部を有することを特徴とする請求項１記載の端子供給機構。
【請求項３】
装填部は、カートリッジに貫設されて端子が挿入される挿入孔であり、
供給部は、圧着部を臨む位置に位置する１の前記貫通孔に挿入可能な進退部を進退操作可能に備えられた押出部であることを特徴とする請求項１又は２記載の端子供給機構。
【請求項４】
カートリッジから供給された端子を圧着される位置で保持する端子保持部を有することを特徴とする請求項１〜３のいずれかに記載の端子供給機構。
【請求項５】
電線用の端子を電線端部に圧着させる圧着部を有する圧着装置であって、請求項１〜４に記載された端子供給機構を備えたことを特徴とする圧着装置。
【請求項６】
圧着部を開閉操作するための握りハンドル部を有し、
移動操作部は、前記握りハンドルの開閉操作により連動操作されてカートリッジを移動させることを特徴とする請求項５記載の圧着装置。
【発明の詳細な説明】
【技術分野】
【０００１】
この発明は、電線用の端子を電線に圧着する圧着装置への端子供給機構、及びこれを備えた圧着装置に関する。
【背景技術】
【０００２】
従来より、被覆電線の端部を剥皮し、これに端子を圧着することにより製品電線とし、これを所定の配線箇所に用いることが行われている。
【０００３】
この端子１００は図１３に示す様に、筒部１０１と平板や棒状に形成された接続部１０２とを有している。そして、被覆電線２００の端部の、剥皮されて露出した電線部分２０１が筒部に挿入され、この筒部を潰すことにより、端子の電線への圧着がなされる様になっている。ここで接続部１０２は、この電線の接続相手側のネジにネジ締めされるためのものである。
【０００４】
圧着には、例えば図１４に示す様に、ペンチの様な構造の手動の工具３００が提供されている。具体的には、握りハンドル３０１が開閉操作され、ハンドル３０１の先端側に、端子を狭持して潰す圧着部３０２が設けられているのである。この様な工具３００の握りハンドル３０１を例えば右手で握り、圧着部３０２に端子１００の筒部１０１を仮狭持させておき、この筒部１０１に左手で電線２００の剥皮された端部２０１を挿入して握りハンドル３０１を握り締めると端子１００の筒部１０１が潰され、これにより圧着できるのである。ただ、以上の様な操作を１個ごとに行うので面倒である。
【０００５】
一方、圧着操作を連続的に行うことにより、端子の圧着された製品電線を多量に得ることのできる装置も提案されている。
【０００６】
例えば、特許文献１に示す手持式端子圧着具４００がある。これは図１５に示す様に、ベルト４０１に端子１００が多数貼着された端子ベルト４０１をリール４０２にして準備し、これを装填した圧着具４００である。そして、ベルト４０１を繰り出す様にして１つ１つの端子１００を順次繰り出し、これに電線を挿入し、何らかの端子圧着手段により順次圧着してゆくものである。
【特許文献１】特開平９−７７２７号公報
【発明の開示】
【発明が解決しようとする課題】
【０００７】
ただこの様なリール状に巻いた端子ベルトを用いるものは、その圧着具用のリール４０２を準備しなければならず、少量の端子を必要とする現場においては、多量すぎる。また端子にはその形状タイプが多種に亘るのであるが、商品として提供される端子ベルトでは、必要な端子の端子ベルトが製造販売されていない場合がある。また特許文献１に挙げたような圧着具４００は、コントロールボックス４０３を備えたり、その為のコードや電源などを備えるなどしなければならず、可搬性に劣っている。また更に重量も重く作業性が悪い。
【０００８】
一方、少量とはいえ、ある程度の数量は必要であるなら、先に説明したペンチ・タイプの工具では効率が悪い。
【０００９】
以上の課題を鑑み、本願発明の目的とするところは、ある程度の多量な端子の圧着作業ができ、また既製品の端子ベルトの準備が必要なく、各種駆動源の例えば電源や電池、エアーなどの準備も不用で、作業負担を軽くできる圧着具を提供することにある。
【課題を解決するための手段】
【００１０】
以上の課題を解決するため、本願請求項１記載の端子供給機構の発明は、電線用の端子を電線端部に圧着させる圧着部を有する圧着装置に装着して、前記圧着部に前記端子を供給する端子供給機構である。そして、端子用の個々の装填部を多数有してこれに前記端子を装填するカートリッジと、このカートリッジを着脱可能に且つ移動可能に保持するカートリッジ保持部とを有している。そして前記カートリッジ保持部は、前記カートリッジを移動させることにより、このカートリッジに装填された端子が順次、前記圧着部を臨む配置となるよう前記圧着装置に装着され、更に、前記臨む端子をカートリッジから圧着部に向けて供給する供給部を有することを特徴とする。
【００１１】
請求項２記載の発明は、装填された端子が圧着部を臨む位置に順次位置すべく、前記カートリッジを移動させる移動操作部を有することを特徴とする。
【００１２】
請求項３記載の発明は、装填部は、カートリッジに貫設されて端子が挿入される挿入孔であり、供給部は、圧着部を臨む位置に位置する１の前記貫通孔に挿入可能な進退部を進退操作可能に備えられた押出部であることを特徴とする。
【００１３】
請求項４記載の発明は、カートリッジから供給された端子を圧着される位置で保持する端子保持部を有することを特徴とする。
【００１４】
請求項５記載の圧着装置の発明は、電線用の端子を電線端部に圧着させる圧着部を有する圧着装置であって、請求項１〜４に記載された端子供給機構を備えたことを特徴とする。
【００１５】
請求項６記載の発明は、圧着部を開閉操作するための握りハンドル部を有し、移動操作部は、前記握りハンドルの開閉操作により連動操作されてカートリッジを移動させることを特徴とする。
【発明の効果】
【００１６】
請求項１記載の端子供給機構の発明によれば、端子の圧着部への供給が容易に且つ効率よく成されるので作業性が向上する。また軽微な機構で実現可能である。
【００１７】
請求項２記載の発明によれば、圧着部への端子の位置合わせが成されるのでより作業性が向上する。
【００１８】
請求項３記載の発明によれば、発明の具体的実施態様を提供している。
【００１９】
請求項４記載の発明によれば、端子の圧着部への保持がなされるので、手で保持する必要もない。
【００２０】
請求項５記載の圧着装置の発明によれば、圧着装置による作業性が向上すると共に、軽微な構造の圧着装置が実現可能である。
【００２１】
請求項６記載の発明によれば、握りハンドルによる手動での圧着ができるので、いわゆるハンディータイプの圧着装置が可能であり、
【発明を実施するための最良の形態】
【００２２】
次に、本願発明の圧着装置としての、ハンディータイプの圧着具の実施例を、図を以て説明する。
この圧着具１は、図１〜４に示す様に、図１３に示したと同様の電線用の端子１００を電線端部２０１に圧着させる圧着部１０と、多数の挿入孔２１を有してこれに端子を挿入装填するカートリッジ２０と、このカートリッジ２０を着脱可能に且つ移動可能に保持するカートリッジ保持部３０と、装填された端子が圧着部１０を臨む位置に順次位置すべくカートリッジ２０を移動させる移動操作部４０と（図５）、前記位置する１の端子を前記圧着が成されるべくカートリッジ２０から押し出す押出部５０と、押し出された端子を圧着される位置で保持する端子保持部６０と、前記圧着部１０を開閉操作するための握りハンドル部７０と、を有している。図２は圧着される際の端子１００ａの位置をも示している。
【００２３】
この圧着具１は、従来の工具に他の構成を付加したものであり、即ち、圧着部１０と握りハンドル部７０が従来の工具Ａとなっている。
【００２４】
圧着部１０は２片の長手板状の狭持片１１を有しており、この狭持片１１の中央同士が支点板１２で連結されている。この支点板１２と狭持片１１とを結合させる支点ボルト１３が、狭持片１１の開閉動作の支点を成している。またこの支点ボルト１３は、以下に述べる各種構成を取り付けるための取付用部材にもなっている。２つの狭持片１１の先端は、一方には端子の筒部を収納する凹部１４が、また他方の狭持片１１にはこの凹部１４に対応した凸部１５が形成されており、狭持片１１同士を閉じることにより、凹部１４に収納された筒部をこの凸部で潰す様になっている。また狭持片の基端は次に述べる握りハンドル７１に連結されており、ハンドル操作により圧着のための開閉が成される様になっている。
【００２５】
握りハンドル部７０は、２つのハンドル７１が開閉軸７２で軸着されており、これによりハンドル７１が開閉操作できる様になっている。またハンドル７１のそれぞれの上端が、圧着部１０の狭持片１１と連結軸７３にて連結しており、片手で２つのハンドル７１を握るとハンドル７１が閉じ操作され、この操作がハンドル先端に連結されている狭持片１１に閉じ操作として伝わり、これにより圧着部１０の圧着操作が成される様になっている。この握りハンドル７１は、握り締める途中で離してもラッチ機構（図示せず）により開くことはなく、握り切ってハンドル７１を完全に閉じる時に、このラッチが外れて開く様になっている。ハンドル７１は開く方向にバネ付勢されており、握ったハンドル７１を離すだけで、この付勢で開く様になっている。
【００２６】
カートリッジ２０は図６〜７に示す様に長手の角柱状を成し、これが端子１００を挿入装填する多数の挿入孔２１を有している。挿入孔２１は長手に直角な向きでカートリッジを貫通しており、この挿入孔２１が一定間隔に設けられている。そして装填された端子は、図６に示す様に挿入孔の一方（符号Ａ１）から、後述する押出部５０による押し出しを受け、挿入孔２１の他方（符号Ａ２）から押し出るのである。又この挿入孔２１は図８に示す形状をしており、即ち、端子１００の筒部１０１を収納する第１孔部２１ａと、端子１００の平板状の接続部１０２を収納する第２孔部２１ｂと、端子１００を押さえて挿入孔２１からの脱落を防止する板バネ２５を収納する第３孔部２１ｃとが繋がって、挿入孔２１を形成しているのである。
板バネ２５は図９に示す様に、左右に湾曲した湾曲部２５ａが図８に示した様に第３孔部の両端に係止して姿勢を保持し、この湾曲部２５ａから直角に延びる細幅のバネ部２５ｂの中央が盛り上がった形状にて端子を押圧し、挿入孔２１からの脱落を防止する様になっている。
【００２７】
またカートリッジ２０はその上面に、挿入孔２１と同じ間隔で小穴２２が凹設されており（図６）、この小穴２２は、カートリッジ２０がカートリッジ保持部３０へ挿入された時には、次に述べる様に、このカートリッジ保持部３０からの脱落防止に用いられている。また更に、カートリッジ２０の下面２３にはこれも挿入孔２１と同じ間隔で係止溝２４が設けられており（図７）、後述する移動操作部４０による移動操作を受けられる様になっている。
【００２８】
カートリッジ保持部３０は図１０に示す様に四角の角筒３１を有し、圧着部１０に隣接して圧着部１０の支点ボルト１３で工具Ａに装着されており、カートリッジ２０はこの角筒３１の中を摺動して移動できる様になっている。また角筒３１内側の上面には、小粒な金属球３２が、ネジ３３で押圧された図示しないバネで下方付勢されて僅かに突き出ており、この金属球３２がカートリッジ２０上面の小穴２２に係合して、カートリッジ２０の脱落防止になっている。即ち、カートリッジ２０は下面の係止溝２４が後述する移動操作部４０に係止しているが、操作中にこの係止の解ける場面があり、この場合には係止を無くしたカートリッジ２０が、カートリッジ保持部３０の角筒３１内を滑る様にして脱落することがある。しかしこの様な場合でも、金属球３２が小穴２２に係止するので脱落防止となっている。
【００２９】
またカートリッジ２０は、後述する移動操作部４０により、カートリッジ保持部３０の中では、挿入孔２２の間隔と同じ間隔単位での移動と停止とを繰り返す様になっている。そしてこの停止位置の時には、カートリッジ２０の１つの端子が、圧着部１０を臨む位置になっていて、この端子が圧着部１０へと押し出されるターゲットになるのである。
【００３０】
また角筒３１の中程には、図１０に示す様な窓部３４が、ターゲットになる端子の挿入孔２２と同じ位置で、この挿入孔２２の両端側それぞれに２つ設けられている。つまり、一方の窓部３４は後述の押出部５０により端子を押し出す操作のためであり、また他方の窓部３４は、押し出される端子と進退棒５１の出口である。つまりカートリッジ２０を角筒３１内に保持させたときには、このカートリッジ２０の挿入孔２１とこれら窓部３４とは連通できるようになっている。そしてこの連通をなぞる線の延長上に、圧着部１０の圧着位置がくる様な姿勢で、カートリッジ保持部３０が設けられている。よってこの２つの窓部３４は、次に述べる端子保持部６０と押出部５０とにそれぞれ覆われる状態となっている。
【００３１】
図１１に示す端子保持部６０は、押し出された端子が圧着部１０の圧着位置に保持され、端子１００が電線２００に圧着された後に、人手で取り外されるまでの間、保持し続けるためのものである。そして端子１００が通過できる案内孔６１を有し、案内孔６１は、図１１での上方と左右の側部は部材６２で形成され、下方だけは横方向の棒状バネ６３を設けて端子を上に軽く押圧できる様になっている。これにより案内孔６１は、カートリッジ２０の挿入孔２１を構成する第１孔部２１ａ及び第２孔部２１ｂの部分（筒部１００用と接続部１０１用の孔部）と同様の断面形状になっていて、これにより、端子１００の筒部１０１や平板状の接続部１０２が通過する複雑な通過断面に形成されている。  そしてこの様な案内孔６１が、カートリッジ保持部３０の圧着部１０側の窓部３４に連通すべく、カートリッジ保持部３０の側面に設けられているのである。
【００３２】
なお端子１００は、圧着時には筒部の圧着が端子全体の形状に多少の変形をもたらし、よって案内孔６１に変形箇所が支えて通過できないことがある。また変形が無くとも孔を通過するにはもともと複雑な形状であるため、保持が強すぎると通過できず、弱いと保持が不十分になるが、そのため案内孔６１に持たせる遊びの度合いが難しくなる。その点、この端子保持部６０には棒状バネ６３で押圧支持しているので、端子１００はカートリッジ２０から押し出されてきた時もスムーズに受け取れ、保持されて圧着される時も確実に保持され、その後に人手で取り外されるときも容易に外れるのである。そしてこの端子保持部６０の案内孔６１の軸線が、カートリッジ保持部３０の２つの窓部３４と、圧着部１０の圧着位置とを通過する様に配置されている。
【００３３】
押出部５０は図１２に示す様に、進退部としての進退棒５１が、カートリッジ２０の挿入孔２１に挿入可能な細めの棒材により形成され、この進退棒５１の進退をガイドするガイド溝５２を有している。このガイド溝５２は、カートリッジ保持部３０の２つの窓部３４を貫く線、及び、端子保持部６０の案内孔６１と直列に配置されていて、これにより進退棒５１がこの直列線上を進退できるのである。
またこの進退棒５１は、近接して設けられているレバー５３により進退操作される様になっている。このレバー５３はバネ５４で付勢されていて、通常は進退棒５１が一番後退した位置にレバー５３が待機されている。そしてレバー５３を押して進退棒５１を進出させると、窓部３４を経てカートリッジ２０の挿入孔２１に挿入され、装填されている端子１００の筒部１０１を押す配置になっている。またレバー５３を押し切ったときには、端子１００の接続部１０２が端子保持部６０に保持されて、その筒部１０１が圧着位置（図２の１００ａ）に位置する様に進退棒５１の長さが設定されている。そしてレバー５３を押す手を緩めると、バネ５４で後退した待機位置に戻る様になっている。
【００３４】
移動操作部４０は図５に示す様に、握りハンドル７１と連結していて、握りハンドル７１の開閉操作により連動操作される様になっている。即ち、一方のハンドル７１の上端には、「く」の字状の板状の駆動板４１が、図示した様に、くの字の折れ曲がり部分をハンドルの連結軸７３に係止させ、また駆動板４１の下端側をハンドル７１の開閉軸７２に軸支させて取り付けられている。またこの駆動板４１の上端側には、これも「く」の字に形成された係止部４２がその一端側を軸着させてある。その際には、係止部４２の他端側の送出部４３が、カートリッジ２０の下面の係止溝２４に向かう様な姿勢で軸着されていて、バネ４４でカートリッジ２０の下面２３に押し付け付勢されている。そしてこの送出部４３は、係止溝２４に挿入係止が可能な先細り形状になっている。
【００３５】
次に上記実施例の圧着具の使用方法を説明する。
まず、カートリッジ２０を圧着具１から外し、外したカートリッジ２０に端子１００を挿入して装填しておく。そして装填されたカートリッジ２０を再度、カートリッジ保持部３０の角筒３１部分に挿して、図１の様な状態にする。この時、カートリッジ２０の先端が金属球３２に当たって軽い突き当て感がある。この状態で一度ハンドル７１を握りその後に緩めると、送出部４３がカートリッジ２０の係止溝２４に係止し、これによりカートリッジ２０は一段送り込まれた初期位置となる。
【００３６】
最初の端子の位置決めができたら、押出部５０のレバー５３を押し、これにより進退棒５１がカートリッジ保持部３０側部の窓部３４に向けて進出し、窓部３４を通過してカートリッジ２０の挿入孔２１に挿入される。そして進退棒５１が端子１００の接続部１０２を押す様に配置されており、筒部１０１は押されて端子保持部６０の案内孔６１に押し込まれる。そしてレバー５３を目一杯に押したときに、進退棒５１は端子の筒部１０１を圧着部１０で圧着される位置にまで押し出す。このとき案内孔６１内の端子１００は、下から棒状バネ６３で支持されており、よって案内孔６１に押し込まれる時には、端子毎の形状不揃いなどもバネの支持により吸収されている。
【００３７】
端子１００をこの様に端子保持部６０に保持させたなら、端部２０１の剥皮された被覆電線２００のその端部２０１を、端子１００の筒部１０１に挿入する。このとき、例えば圧着具１は右手で持って操作しているので、電線２００は左手で挿入する事ができる。
【００３８】
被覆電線２００を筒部１０１に挿入したら、圧着具１を持つ右手で握りハンドル７１を握り、筒部１０１を潰して電線２００の端部２０１に圧着が成されるのである。そして右手を緩めると、開く付勢でハンドル７１が開かれる。
【００３９】
なお以上の過程での、握りハンドル７１の閉じ操作と、握りを離した時のハンドル７１の開き操作との一連の操作により、移動操作部４０による、カートリッジ２０の挿入孔２１の１つ分の移動が成されるのである。即ちハンドル７１を握ると、ハンドル７１の開閉により、ハンドル７１上端に固定されている駆動板４１が、図５中の右回りに回動される。この回動により、駆動板４１に軸着されている係止部４２は、先端の送出部４３が、それまで挿入されていた係止溝２４から抜き出され、カートリッジ下面２３に押し付け付勢されたまま摺動して、後方（図５の右）への移動させられる。そしてハンドル７１を握り切った時には、一つ後ろの係止溝２４に係止する様になっている。
この状態からハンドル７１を離すとハンドル７１はバネ付勢により開く。そして開くときには、ハンドル７１上端に固定されている駆動板４１が、今度は図５中の左回りに回動される。この回動により、駆動板４１に軸着されている係止部４２は、カートリッジ２０に係止している先端の送出部４３が左に移動しようとし、その結果、カートリッジ２０を左に移動させ、ハンドル７１が開き切った時には、挿入孔２４の１つ分の移動が成されているのである。この様にして、ハンドル操作をする事により、カートリッジ２０が謂わば一コマづつ動くのである。
【００４０】
圧着を終えて握りハンドル７１を開いたときには、端子１００の圧着された被覆電線２００が、その端子１００を端子保持部６０に保持されたままの状態となっているので、左手でこれを取り出し、次の端子の処理操作に進めばよい。以上の操作を繰り返し行うことにより、端子の被覆電線への圧着作業が容易に行うことができる。
【００４１】
この圧着具によれば、端子に合わせたカートリッジさえ準備すれば、専用の端子ベルト・リールや電源なども必要としない。また従来のペンチ・タイプの工具による作業に較べれば、格段に作業効率がいい反面、リールで準備するほどの多量の端子は必要ない場合には、好適である。特に、端子が供給されるときには、この端子を端子保持部６０で保持することができるので、保持された端子をそのまま圧着部で仮締めすることにより電線の挿入が行え、その分、手操作が省ける。
【００４２】
なお本願発明は、上記実施例に限定されるものではなく、発明の趣旨に反しない限り、どの様に実施さてもよい。圧着部は実施例と異なる形態であってもよい。移動操作部も実施例と異なる構成であってもよい。カートリッジは、実施例に示した角柱のものに限らず、どの様な形状でもよい。例えば円盤状のカートリッジの円周上に端子を装填した様なものであってもよい。またカートリッジはプラスチックなどで形成可能であり、その場合、実施例では別体であった板バネを一体化したり、プラスチックの弾性を利用して板バネの代替とすることもできる。
【図面の簡単な説明】
【００４３】
【図１】この図は、実施例の圧着具の図である。
【図２】この図は、圧着具の図であり、圧着されるときの端子の位置も示している。
【図３】この図は、圧着具の図である。
【図４】この図は、圧着具を上方から見た図である。
【図５】この図は、圧着具を横から透視により移動操作部を説明する図である。
【図６】この図は、カートリッジの図である。
【図７】この図は、カートリッジの図である。
【図８】この図は、カートリッジの部分図である。
【図９】この図は、カートリッジ内の板バネの図である。
【図１０】この図は、カートリッジを外した圧着具の図である。
【図１１】この図は、圧着部及び端子保持部の説明の図である。
【図１２】この図は、押出部の説明の図である。
【図１３】この図は、端子を被覆電線の端部に圧着する説明の図である。
【図１４】この図は、従来のペンチ型の工具の図である。
【図１５】この図は、特許文献１に示された端子圧着具の図である。
【符号の説明】
【００４４】
１  圧着具  
１０  圧着部
１１  狭持片
１３  支点ボルト
２０  カートリッジ
２１  挿入孔
２２  小穴
２４  係止溝
３０  カートリッジ保持部
３１  角筒
３２  金属球
３４  窓部
４０  移動操作部
４１  駆動板
４２  係止部
４３  送出部
５０  押出部
５１  進退部としての進退棒
５２  ガイド溝
５３  レバー
６０  端子保持部
６１  案内孔
７０  握りハンドル部
７２  開閉軸
【図１５】
2010009768.tif 000003
【図１】
2010009768.tif 000004
【図２】
2010009768.tif 000005
【図３】
2010009768.tif 000006
【図４】
2010009768.tif 000007
【図５】
2010009768.tif 000008
【図６】
2010009768.tif 000009
【図７】
2010009768.tif 000010
【図８】
2010009768.tif 000011
【図９】
2010009768.tif 000012
【図１０】
2010009768.tif 000013
【図１１】
2010009768.tif 000014
【図１２】
2010009768.tif 000015
【図１３】
2010009768.tif 000016
【図１４】
2010009768.tif 000017